(57)【要約】【課題】  構成の複雑化やコストアップを招くことなく、画像再生機能の操作性に優れる携帯型音楽再生装置を提供する。【解決手段】  携帯型音楽再生装置１において、オーディオデータとともに大容量の記憶部１０４に格納されているフォトデータをタッチパッド１３の操作に基づいて容易に呼び出すことができる。また、回転画像選択部１０９は、ユーザーがフォトデータの回転処理を行った際に、対応するフォトデータについての表示用画像から、回転操作に応じた図柄の表示用画像を読み出して表示部１２に表示させるので、回転操作がなされたときに画像回転処理を行わなくて済み、高速表示が可能である。また、高速かつ高度な回路構成を用いなくとも回転操作の応答性が得られるので、携帯型音楽再生装置１の構成の複雑化を招かず、安価に提供することができる。【選択図】        図９
2007080427.tif 000002
【特許請求の範囲】
【請求項１】
表示部を有する本体と、
前記本体に収容された前記表示部に表示された表示画面を用いて選択的に再生される音楽データおよび画像データを記憶する記憶部と、
前記表示部に表示される前記画像データの回転操作に基づいて、前記画像データの回転状態に応じて複数の表示用画像から選択されるひとつの表示用画像を前記表示部に表示させる回転画像選択部とを有することを特徴とする携帯型音楽再生装置。
【請求項２】
前記記憶部は、前記画像データに対応して前記表示部に表示する表示画像サイズで正方向、右回転、左回転、および反転状態の前記複数の表示用画像を格納している請求項１に記載の携帯型音楽再生装置。
【請求項３】
前記回転画像選択部は、前記画像データの回転方向に応じたスイッチの操作に基づいて前記表示部に表示されている前記表示用画像の回転によって表示される図柄に対応した前記表示用画像を前記複数の表示用画像から選択して表示させる請求項１に記載の携帯型音楽再生装置。
【請求項４】
前記回転画像選択部は、前記画像データの第１の回転方向に応じた第１のスイッチが操作されたとき、前記表示部に表示されている前記表示用画像の前記第１の回転方向に応じた図柄の前記表示用画像を前記複数の表示用画像から選択して前記表示部に表示し、前記第１の回転方向と異なる第２の回転方向に応じた第２のスイッチが操作されたとき、前記表示部に表示されている前記表示用画像の前記第２の回転方向に応じた図柄の前記表示用画像を前記複数の表示用画像から選択して前記表示部に表示させる請求項１に記載の携帯型音楽再生装置。
【請求項５】
前記記憶部は、前記複数の表示用画像の図柄に対応した全画面表示画像を格納している請求項１又は２に記載の携帯型音楽再生装置。
【請求項６】
前記記憶部は、ハードディスクドライブである請求項１に記載の携帯型音楽再生装置。
【発明の詳細な説明】
【技術分野】
【０００１】
本発明は、音楽データおよび画像データを再生可能な携帯型音楽再生装置に関し、特に、構成の複雑化やコストアップを招くことなく、画像再生機能の操作性に優れる携帯型音楽再生装置に関する。
【背景技術】
【０００２】
従来の携帯型音楽再生装置として、ハードディスクドライブやフラッシュメモリ等の記憶部に記憶された音楽データを再生し、ヘッドホン等の出力部から音声出力するものが知られている。
【０００３】
このような携帯型音楽再生装置は、近年、多機能化が進んでおり、これに伴って種々の機能をグループ化して保有し、ユーザーが表示部に表示される操作画面を見ながら、スイッチやタッチパネル等の操作部を操作してグループに含まれる選択肢をたどることにより、所望の機能を得るものがある。
【０００４】
また、操作画面を見やすさを高めるために、大型で高繊細なカラー液晶パネル等の表示部を備えた携帯型音楽再生装置も提案されており、パーソナル・コンピュータ等の外部機器から写真やイメージ等の画像データ（以下の説明では「フォト」のデータという）を転送することにより、フォトビューワーとしての使用形態も提案されている。
【０００５】
フォトデータについては、例えば、デジタルカメラの撮影姿勢によって縦方向および横方向のデータが発生しうる。そのため、これらのフォトデータが混在するような場合でも、良好な閲覧性が得られるように表示画像を回転させる画像回転機能が搭載されたデジタルカメラが知られている（例えば、特許文献１参照。）。
【０００６】
特許文献１に記載されたデジタルカメラは、撮影時のカメラ姿勢を検知するカメラ姿勢検知部を有しており、画像表示を行う際に撮影画像に関連付けされた姿勢検知情報に基づいて自動的に回転表示を行う。
【０００７】
特許文献１のデジタルカメラによれば、画像撮影時の姿勢に応じた回転処理を実行して再生するので、ユーザーに良好な使用感を与えることができる。
【特許文献１】特開２００３−２７４３６６（〔００４８〕、図３、図４）
【発明の開示】
【発明が解決しようとする課題】
【０００８】
しかし、特許文献１によると、撮影画像の姿勢判定処理や回転処理を行うための高度な制御や回路構成が必要になるため、構成の複雑化やコストアップを招くという問題がある。また、デジタルカメラ等の小型機器では、操作系の構成簡素化等によって操作性のばらつきがあり、直感的に操作できず習熟性を要するものもあることから、画像を回転させないで表示させたい場合や、意図しない画像表示がなされた場合の修正操作が煩雑になる。
【０００９】
従って、本発明の目的は、構成の複雑化やコストアップを招くことなく、画像再生機能の操作性に優れる携帯型音楽再生装置を提供することにある。
【課題を解決するための手段】
【００１０】
本発明は、上記の目的を達成するため、表示部を有する本体と、前記本体に収容された前記表示部に表示された表示画面を用いて選択的に再生される音楽データおよび画像データを記憶する記憶部と、前記表示部に表示される前記画像データの回転操作に基づいて、前記画像データの回転状態に応じて複数の表示用画像から選択されるひとつの表示用画像を前記表示部に表示させる回転画像選択部とを有する携帯型音楽再生装置を提供する。
【００１１】
本発明の携帯型音楽再生装置において、記憶部は、画像データに対応して表示部に表示する表示画像サイズで正方向、右回転、左回転、および反転状態の複数の表示用画像を格納していることが好ましい。
【００１２】
回転画像選択部は、画像データの回転方向に応じたスイッチの操作に基づいて表示部に表示されている表示用画像の回転によって表示される図柄に対応した表示用画像を複数の表示用画像から選択して表示させる構成としても良い。
【００１３】
さらに回転画像選択部は、画像データの第１の回転方向に応じた第１のスイッチが操作されたとき、表示部に表示されている表示用画像の第１の回転方向に応じた図柄の表示用画像を複数の表示用画像から選択して表示部に表示し、第１の回転方向と異なる第２の回転方向に応じた第２のスイッチが操作されたとき、表示部に表示されている表示用画像の第２の回転方向に応じた図柄の表示用画像を複数の表示用画像から選択して表示部に表示させることが好ましい。
【００１４】
記憶部は、複数の表示用画像の図柄に対応した全画面表示画像を格納していることが好ましい。
【００１５】
記憶部は、記憶容量の大なるハードディスクドライブを用いることが好ましい。
【発明の効果】
【００１６】
本発明によれば、構成の複雑化やコストアップを招くことなく、画像再生機能の操作性を向上させることができる。
【発明を実施するための最良の形態】
【００１７】
（発明の実施の形態）
図１は、本発明の実施の形態に係る携帯型音楽再生装置を示し、（ａ）は正面図、（ｂ）は右側面図、（ｃ）は上面図、（ｄ）は底面図である。
【００１８】
（携帯型音楽再生装置１の構成）
この携帯型音楽再生装置１は、本体１０と、正面１１に設けられる表示部１２と、携帯型音楽再生装置１の種々の操作を行うタッチパッド１３と、本体１０の右側面に設けられる電源スイッチ１５と、携帯型音楽再生装置１の操作に必要な種々のメニューを表示させるメニュースイッチ１６と、携帯型音楽再生装置１の再生時に音量の増減を行う音量調整スイッチ１７と、ユーザーの使用頻度の高い機能を割り当てることができ、操作に基づいて割り当てた機能を呼び出すファンクションスイッチ１８と、本体１０の上面に設けられるヘッドホン端子２１と、本体１０に設けられる各スイッチをロックするホールドスイッチ２２と、外部電源に基づいて携帯型音楽再生装置１に電力を供給する外部電源端子２３と、外部機器とのデータ授受を行うためのＵＳＢ（Universal Serial Bus）クレードル端子２４と、ＵＳＢ端子２５とを有する。
【００１９】
（各部の構成）
本体１０は、箱状の筐体からなり、電源としてのリチウムイオンバッテリーと、記憶部としてＭＰ３、ＷＡＶ等のフォーマットのオーディオデータ、ＪＰＥＧ、ＢＭＰ等のフォーマットのフォトデータを格納するハードディスクドライブと、表示部１２、タッチパッド１３、各スイッチを制御する回路部品を収容している。ハードディスクドライブは、記憶容量として２０〜６０ＧＢのものを選択することができるが、より大容量のものを用いることもできる。
【００２０】
表示部１２は、２．４型のＴＦＴ（Thin Film Transistor）カラー液晶パネルからなり、表示画像サイズは３４０×２４０ドットでバックライトを有している。
【００２１】
タッチパッド１３は、十字型の外観を有するように形成されており、操作する場所に応じた機能を実行させる。
【００２２】
メニュースイッチ１６は、後述するオーディオ、フォトのグループに応じたメニュー画面を表示部１２に表示させる。オーディオ操作におけるメニューには、アルバムスキップ、ブックマーク登録、再生モード、ユーザー設定イコライザー等の項目が含まれている。また、フォト操作におけるメニューには、スライドショーモード、スライドショーインターバル、スライドショー効果、ブックマーク登録、壁紙に設定等の項目が含まれている。
【００２３】
音量調整スイッチ１７は、図１（ｂ）に示すスイッチ上側を操作することにより音量を大にし、スイッチ下側を操作することにより音量を小にする。
【００２４】
ファンクションスイッチ１８は、予め設定されている機能に代えて、ユーザーの設定操作に基づいて再生モード、イコライザー設定、アルバムスキップ、ブックマーク、ミュート、トップ画面表示等の表示画面をスイッチ操作に基づいて呼び出すように割り当てることが可能な構成を有する。
【００２５】
ＵＳＢクレードル端子２４は、後述するクレードルに携帯型音楽再生装置１が載置されたとき、クレードル側のＵＳＢ端子と接続されるように形成されている。
【００２６】
ＵＳＢ端子２５は、図示しないＵＳＢケーブルを接続することにより、ＵＳＢ端子を有するＰＣ（パーソナル・コンピュータ）や、通信機器等の端末装置とのデータ授受を行う。
【００２７】
図２は、本発明の実施の形態に係るタッチパッドを示し、（ａ）はタッチ部の配置を示す正面図、（ｂ）はタッチ操作を示す操作図、（ｃ）は縦方向へなぞる場合の操作図、（ｄ）は横方向へなぞる場合の操作図である。なお、同図においては操作に関する説明を容易にするため、タッチパッドのサイズが実物とは異なっている。
【００２８】
タッチパッド１３は、図２（ａ）に示すように十字の先端部に設けられるタッチ部１３０〜１３３と、タッチパッド中央に設けられるタッチ部１３４とを有しており、図２（ｂ）に示すように各タッチ部１３０〜１３４をユーザーの指でタッチすることによる操作と、図２（ｃ）に示すようにタッチ部１３０から１３１にかけてなぞる（以下、ジェスチャーという）ことによる操作と、図２（ｄ）に示すようにタッチ部１３３から１３２にかけてジェスチャーする操作が可能である。なお、ジェスチャーは、上記した方向とは逆の方向へも可能である。
【００２９】
図３は、本発明の実施の形態に係る携帯型音楽再生装置の主要な回路ブロック図である。なお、各部の符号について、前述した各図面で説明した構成と同一のものについては共通の引用数字を付している。
【００３０】
制御部１００は、オーディオデータのデコード、オーディオおよびフォトのファイルシステム管理、ユーザーインターフェース制御を行う。
【００３１】
操作部１０１は、本体１０に設けられる各スイッチの操作に応じた操作信号を制御部１００に出力する。
【００３２】
メモリ１０２は、オーディオ再生時に音飛びを防ぐものとしてオーディオデータのバッファリングを行う。バッファリングされたデータが再生されると次のデータがバッファリングされる。
【００３３】
フォトデータ加工部１０３は、ＵＳＢクレードル端子２４およびＵＳＢ端子２５を介して入力するフォトデータを携帯型音楽再生装置１で再生可能な表示画像サイズに加工するとともに、転送されたフォトデータを加工して各フォトデータ毎に正方向、反転方向、右回転、左回転、およびサムネイル表示の操作に応じた表示用画像を生成し、回転方向に隣接する他の表示用画像との配置についての関連付け情報を付与する。
【００３４】
記憶部１０４は、携帯型音楽再生装置１を動作させるためのファームウエア、オーディオおよびフォトの管理、再生に必要なプログラム、そして外部から転送されるオーディオデータおよびフォトデータを記憶する。
【００３５】
表示制御部１０５は、記憶部に記憶されるオーディオ、フォトのデータについて、および設定等についての項目を有し、これら項目毎にさらに複数の項目をグループ化して管理している。オーディオおよびフォトのグループは、下位のグループの構成が同等となるように設けられる。
【００３６】
音声出力部１０６は、制御部１００でデコードされたオーディオデータを、バス１１０を介して入力し、アナログデータに変換してヘッドホン端子２１に出力する。
【００３７】
駆動回路１０７は、ユーザー操作に基づく表示画面に応じたデータを制御部１００からバス１１０を介して入力することにより表示部１２を駆動制御する。
【００３８】
インターフェース（Ｉ／Ｆ）部１０８は、図示しないＵＳＢ端子等に外部機器が接続されたとき、バス１１０に対してオーディオまたはフォト、あるいはその両方のデータの入出力を制御する。
【００３９】
回転画像選択部１０９は、あるフォトデータの全画面表示時にタッチパッド１３の操作に基づく画像回転操作が行われたとき、そのフォトデータについて記憶部１０４に格納されている正方向、反転方向、右回転、および左回転の方向に応じた表示用画像から画像回転操作の内容に応じた表示用画像を選択する。
【００４０】
図４は、本発明の実施の形態に係る携帯型音楽再生装置の記憶部の要部構成図である。
【００４１】
記憶部１０４は、オーディオ関連データ格納部１０４Ａと、フォト関連データ格納部１０４Ｂとを有し、フォト関連データ格納部１０４Ｂは、転送画像データ格納部１４１と、表示用画像データ格納部１４２とからなる記憶領域１４０を有する。
【００４２】
転送画像データ格納部１４１は、外部から携帯型音楽再生装置１に転送されるＪＰＥＧ、ＢＭＰ等のフォトデータを未加工で保存する。
【００４３】
表示用画像データ格納部１４２は、携帯型音楽再生装置１に保存されるＪＰＥＧ、ＢＭＰ等のフォトデータを、表示部１２で表示可能な画像サイズ（３４０×２４０ドット）に加工した表示用画像を保存する。この表示用画像は、携帯型音楽再生装置１のフォトデータ加工部１０３において加工されたもののほか、外部機器から転送されるフォトデータに基づくものも含まれる。
【００４４】
図５は、本発明の実施の形態に係る表示制御部におけるデータのグループ構造図である。
【００４５】
表示制御部１０５は、記憶部１０４に記憶されているデータをグループ毎に管理しており、最上位に設けられるトップ画面１５１と、トップ画面の下位のグループとして設けられるオーディオメニュー１５２と、フォトメニュー１５３と、設定メニュー１５４とを有し、表示部１２に表示された表示画面に対してタッチパッド１３を操作することにより選択される。なお、同図においてはフォトメニュー１５３以外のグループを図示省略している。
【００４６】
フォトメニュー１５３は、オーディオメニュー１５２および設定メニュー１５４と同じグループに位置づけられている。フォトメニュー１５３の下位のグループには、アルバム、プレイリスト、フォルダ、ブックマーク、およびごみ箱の項目１５３０を含むナビ画面１５３Ａが設けられており、各項目１５３０はさらに下位のグループ１５３Ｄ〜１５３Ｇに分類される。
【００４７】
フォトメニュー１５３のグループについて、アルバムの項目は、フォト関連データ格納部１０４Ｂに格納されるフォトデータをユーザーが付与したタイトル（例えば、遠足、旅行等）で分類した関連付けファイルを表示する。プレイリストの項目は、フォトデータに対してユーザーが設定した順番のフォトデータによるスライドショーに基づくタイトルの関連付けファイルを表示する。フォルダの項目は、フォト関連データ格納部１０４Ｂに格納されるフォトデータおよびフォルダ（転送画像データ格納部１４１、表示用画像データ格納部１４２）を表示する。ブックマークの項目は、ユーザーがブックマークを付与したフォトデータのタイトルを表示する。ごみ箱の項目は、ユーザーが削除したフォトデータを表示する。
【００４８】
図６は、本発明の実施の形態に係る携帯型音楽再生装置と接続される機器の接続図である。
【００４９】
携帯型音楽再生装置１は、ＵＳＢ端子を介して複数の外部機器を接続することが可能なマスストレージ機能を有し、オーディオおよびフォトのデータを管理するデータ管理ソフトウエアをインストールされたＰＣ３と、単独での使用およびＰＣ３の外部接続ドライブとしても使用可能なＣＤプレーヤ４と、家庭用オーディオ機器である音楽再生装置５と、ビデオカメラ６と、デジタルカメラ７との接続が可能である。なお、これらの外部機器との接続は、ＵＳＢクレードル端子２４およびＵＳＢ端子２５のいずれによっても可能である。また音楽再生装置５に対してはヘッドホン端子２１からのラインアウト出力による音声出力も可能である。
【００５０】
データ管理ソフトウエア３００は、ＰＣ３のハードディスクドライブ内に格納されたオーディオおよびフォトのデータをＰＣ３の表示部に表示される管理画面上に取り込んで一元管理するとともに、取り込んだデータのプレイリストや、ブックマーク、アルバム等の関連付けデータを作成する編集機能と、携帯型音楽再生装置１の表示部１２で表示させる表示用画像を生成する機能を有している。このデータ管理ソフトウエア３００で作成された関連付けデータおよび表示用画像は、携帯型音楽再生装置１に転送することが可能である。
【００５１】
図７は、本発明の実施の形態に係る携帯型音楽再生装置のグループ構成を示す表示部の表示画像を示し、（ａ）はフォトメニューの表示画像、（ｂ）はフォトメニューの下位のナビ画面である。
【００５２】
フォトメニュー１５３は、図７（ａ）に示すように、表示画像上部に配置されるデータ名１２０と、選択されたデータを示す選択部表示１２１と、表示画像下部に配置されるガイド画像表示１２２と、時計表示１２３と、電池残量１２４を示しており、選択部表示１２１は選択部分（図７（ａ）においては、「フォト」）が広く選択された表示となる。ガイド画面表示１２２は、タッチパッド１３のタッチ部１３０〜１３４に設定される機能をガイド表示する。電池残量１２４は、乾電池の形状の表示に応じて電池の残量を示すものであり、電池残量の低下につれて液晶による表示エリアが減少する。また、外部電源駆動時には、コンセントの表示がなされる。
【００５３】
フォトメニュー１５３の表示された状態でタッチパッド１３のタッチ部１３２を操作することにより、図７（ｂ）に示すナビ画面１５３Ａが表示される。
【００５４】
ナビ画面１５２Ａは、ガイド画面表示１２２と、時計表示１２３と、電池残量１２４とを有するとともに、アルバム、プレイリスト、フォルダ、ブックマーク、およびごみ箱の項目を表示する。
【００５５】
図８（ａ）から（ｇ）は、フォトメニューでの操作に基づいて表示部に表示される表示画像の遷移図である。
【００５６】
（グループ内表示）
図８（ａ）は、トップ画面１５１を示し、オーディオメニュー、フォトメニュー、および設定メニューが表示部１２の同一画面上に表示されている。ここで、タッチパッド１３を操作して選択部表示１２１を「フォト」に移動させることにより、フォトメニューが選択される。次に、タッチパッド１３のタッチ部１３２を操作すると、図８（ｂ）に示す表示画像が表示される。
【００５７】
図８（ｂ）は、フォトメニューのナビ画面１５３Ａを示し、アルバム、プレイリスト、フォルダ、ブックマーク、およびごみ箱が表示部１２の同一画面上に表示されている。同図に示すように、選択部表示１２１でアルバムが選択された状態でタッチパッド１３のタッチ部１３２を操作すると、図８（ｃ）に示す表示画像が表示される。
【００５８】
図８（ｃ）は、アルバムのグループに保存されているアルバムのメニュー１５３Ｄを示し、同図に示すように、日付によって分類された４つのアルバムが保存されている。ここで、選択部表示１２１で２００５／０１／０１のアルバムが選択された状態でタッチパッド１３のタッチ部１３２を操作すると、図８（ｄ）に示す表示画像が表示される。
【００５９】
図８（ｄ）は、２００５／０１／０１のアルバムに保存されているアルバムの内容１５３１を示し、同図に示すように、アルバム内に２つのフォトが格納されている。ここで、選択部表示１２１には選択されているフォト１の撮影された日付および時刻の情報が表示される。
【００６０】
（全画面表示）
図８（ａ）から（ｄ）の画面表示状態において、タッチパッド１３の中央に配置されているタッチ部１３４を操作すると、フォトデータとして記憶部１０４の記憶部１４０に格納されている表示用画像のうち、日時の最も古いものが選択されて図８（ｅ）に示すように全画面表示される。
【００６１】
図８（ｅ）は、２００５／０１／０１のアルバムに保存されているフォト１の全画面表示を示し、表示用画像データ格納部１４２に格納されたフォトデータで一番古いフォト１が全画面表示されている。この状態でタッチパッド１３のタッチ部１３４を操作すると、表示用画像データ格納部１４２に格納されたフォトデータのスライドショーが実行される。
【００６２】
（スライドショー表示）
図８（ｆ）は、スライドショーの実行画面を示し、スライドショーの実行中にタッチパッド１３のタッチ部１３４を操作すると、スライドショーが停止する。
【００６３】
また、図８（ｄ）に示すようにアルバムの内容を表示させた状態で、本体１０に設けられるメニュースイッチ１６を操作することにより、図８（ｇ）に示す表示画像が表示される。
【００６４】
（サムネイル表示）
図８（ｇ）は、表示用画像データ格納部１４２に格納されたフォトデータのサムネイル表示画面を示し、表示部１２にはフォトデータに対応した小サイズのサムネイル画像１２５Ｓ、１２６Ｓ、および１２７Ｓからなるサムネイル表示画像１２９が表示される。このサムネイル表示画像１２９が表示された状態でメニュースイッチ１６を操作することにより、図８（ｄ）に示す表示画像が表示される。
【００６５】
図９は、全画面表示状態における表示画像操作に基づく遷移図を示し、（ａ）はタッチパッドの操作に基づく表示画像の説明図、（ｂ）はタッチパッドの操作部と表示画像の回転方向の対応図である。ここでは、図８（ｅ）に示す全画面表示画像１２５Ａが表示された状態を起点として説明する。
【００６６】
図９（ａ）に示すように、表示部１２に全画面表示画像１２５Ａが表示されている状態でタッチパッド１３のタッチ部１３２を操作すると、記憶部１０４の表示用画像データ格納部１４２に格納された表示用画像から、次の全画面表示画像１２６Ａに対応した画像が読み込まれて全画面表示される。
【００６７】
また、全画面表示画像１２５Ａが表示されている状態でタッチパッド１３のタッチ部１３３を操作すると、記憶部１０４の表示用画像データ格納部１４２に格納された表示用画像から、前の全画面表示画像１２７Ａに対応した画像が読み込まれて全画面表示される。なお、図９（ａ）においては、正方向の全画面表示画像１２５Ａ〜１２７Ａに対して画像の上下に余白１２５０が含まれている。
【００６８】
（表示画像の回転操作）
図９（ｂ）は、表示部１２の全画面表示状態におけるタッチパッド１３の操作に基づく画像回転方向を示す。全画面表示状態において、タッチパッド１３のタッチ部１３０を１回操作すると、全画面表示画像の図柄は反時計方向に９０°回転する。また、タッチパッド１３のタッチ部１３１を１回操作すると、全画面表示画像の図柄は時計方向に９０°回転する。
【００６９】
表示部１２に正方向画像として全画面表示画像１２５Ａが表示されている状態で、タッチパッド１３のタッチ部１３０を操作すると、回転画像選択部１０９は、表示用画像データ格納部１４２に格納された表示用画像から、全画面表示画像１２５Ａを左回転させた全画面表示画像１２５Ｌを選択する。この選択された全画面表示画像１２５Ｌに基づく表示信号が駆動回路１０７に出力されることにより、表示部１２に全画面表示画像１２５Ｌが表示される。
【００７０】
また、表示部１２に正方向画像として全画面表示画像１２５Ａが表示されている状態で、タッチパッド１３のタッチ部１３１を操作すると、回転画像選択部１０９は、表示用画像データ格納部１４２に格納された表示用画像から、全画面表示画像１２５Ａを右回転させた全画面表示画像１２５Ｒを選択する。この選択された全画面表示画像１２５Ｒに基づく表示信号が駆動回路１０７に出力されることにより、表示部１２に全画面表示画像１２５Ｒが表示される。
【００７１】
また、表示部１２に全画面表示画像１２５Ｒが表示されている状態で、タッチパッド１３のタッチ部１３１を操作すると、回転画像選択部１０９は、表示用画像データ格納部１４２に格納された表示用画像から、全画面表示画像１２５Ｒを右回転させた全画面表示画像１２５Ｈを選択する。この全画面表示画像１２５Ｈは正方向の全画面表示画像１２５Ａが逆方向に反転したものとなる。この選択された全画面表示画像１２５Ｈに基づく表示信号が駆動回路１０７に出力されることにより、表示部１２に全画面表示画像１２５Ｈが表示される。この全画面表示画像１２５Ｈは、全画面表示画像１２５Ｌが表示されている状態で、タッチパッド１３のタッチ部１３０を操作した場合についても同様に表示される。
【００７２】
（発明の実施の形態の効果）
上記した実施の形態によると、携帯型音楽再生装置１において、オーディオデータとともに大容量の記憶部１０４に格納されているフォトデータをタッチパッド１３の操作に基づいて容易に呼び出すことができる。また、回転画像選択部１０９は、ユーザーがフォトデータの回転処理を行った際に、対応するフォトデータについての表示用画像から、回転操作に応じた図柄の表示用画像を読み出して表示部１２に表示させるので、回転操作がなされたときに画像回転処理を行わなくて済み、高速表示が可能である。また、高速かつ高度な回路構成を用いなくとも回転操作の応答性が得られるので、携帯型音楽再生装置１の構成の複雑化を招かず、安価に提供することができる。
【００７３】
また、図１０に示すように、携帯型音楽再生装置１の使用形態として、（ａ）に示す縦方向の使用形態と、（ｂ）に示す横方向の使用形態があり、このいずれの場合においてもフォトデータに基づく全画面表示画像１２５Ａ、１２５Ｒの見やすさ、回転操作のしやすさを確保しつつ、ユーザーの好む使用形態に柔軟に対応させることができる。
【００７４】
なお、本発明は、上記した各実施の形態に限定されず、本発明の技術思想を逸脱あるいは変更しない範囲内で種々な変形が可能である。
【図面の簡単な説明】
【００７５】
【図１】本発明の実施の形態に係る携帯型音楽再生装置を示し、（ａ）は正面図、（ｂ）は右側面図、（ｃ）は上面図、（ｄ）は底面図である。
【図２】本発明の実施の形態に係るタッチパッドを示し、（ａ）はタッチ部の配置を示す正面図、（ｂ）はタッチ操作を示す操作図、（ｃ）は縦方向へなぞる場合の操作図、（ｄ）は横方向へなぞる場合の操作図である。
【図３】本発明の実施の形態に係る携帯型音楽再生装置の主要な回路ブロック図である。
【図４】本発明の実施の形態に係る携帯型音楽再生装置の記憶部の要部構成図である。
【図５】本発明の実施の形態に係る表示制御部におけるデータのグループ構造図である。
【図６】本発明の実施の形態に係る携帯型音楽再生装置と接続される機器の接続図である。
【図７】本発明の実施の形態に係る携帯型音楽再生装置のグループ構成を示す表示部の表示画像を示し、（ａ）はフォトメニューの表示画像、（ｂ）はフォトメニューの下位のナビ画面である。
【図８】（ａ）から（ｇ）は、フォトメニューでの操作に基づいて表示部に表示される表示画像の遷移図である。
【図９】全画面表示状態における表示画像操作に基づく遷移図を示し、（ａ）はタッチパッドの操作に基づく表示画像の説明図、（ｂ）はタッチパッドの操作部と表示画像の回転方向の対応図である。
【図１０】携帯型音楽再生装置の使用形態を示し、（ａ）は縦方向の使用形態を示す正面図、（ｂ）は横方向の使用形態を示す正面図である。
【符号の説明】
【００７６】
１…携帯型音楽再生装置、４…ＣＤプレーヤ、５…音楽再生装置、６…ビデオカメラ、７…デジタルカメラ、８…クレードル、８…転送スイッチ、１０…本体、１１…正面、１２…表示部、１３…タッチパッド、１５…電源スイッチ、１６…メニュースイッチ、１７…音量調整スイッチ、１８…ファンクションスイッチ、２１…ヘッドホン端子、２２…ホールドスイッチ、２３…外部電源端子、２４…ＵＳＢクレードル端子、２５…ＵＳＢ端子、１００…制御部、１０１…操作部、１０２…メモリ、１０３…フォトデータ加工部、１０４…記憶部、１０４Ａ…オーディオ関連データ格納部、１０４Ｂ…フォト関連データ格納部、１０５…表示制御部、１０６…音声出力部、１０７…駆動回路、１０８…Ｉ／Ｆ部、１０９…回転画像選択部、１１０…バス、１２０…データ名、１２１…選択部表示、１２２…ガイド画面表示、１２３…時計表示、１２４…電池残量、１２５…スクロールバー、１２５Ａ…全画面表示画像、１２５Ａ…全画面表示画像、１２５Ｈ…全画面表示画像、１２５Ｌ…全画面表示画像、１２５Ｒ…全画面表示画像、１２６Ａ…全画面表示画像、１２７Ａ…全画面表示画像、１２５Ｓ〜１２７Ｓ…画像、１２９…サムネイル表示画像、１３０〜１３４…タッチ部、１４０…記憶領域、１４１…転送画像データ格納部、１４２…表示用画像データ格納部、１５１…トップ画面、１５２…オーディオメニュー、１５３…フォトメニュー、１５３Ａ…ナビ画面、１５３Ｄ〜１５３Ｇ…グループ、１５４…設定メニュー、３００…データ管理ソフトウエア、１５３０…項目、１５３１…内容
【図１】
2007080427.tif 000003
【図２】
2007080427.tif 000004
【図３】
2007080427.tif 000005
【図４】
2007080427.tif 000006
【図５】
2007080427.tif 000007
【図６】
2007080427.tif 000008
【図７】
2007080427.tif 000009
【図８】
2007080427.tif 000010
【図９】
2007080427.tif 000011
【図１０】
2007080427.tif 000012